(57)【特許請求の範囲】
【請求項１】
各種のパラメータ等を格納する不揮発性の記憶手段、及び、それらパラメータ等に基づいて動作を実行する制御手段を備える通信端末装置において、
前記不揮発性の記憶手段は、国もしくは地域等に関するパラメータを複数分記憶する読み出し専用の不揮発性メモリと、前記パラメータ等を少なくとも記憶する書き換え可能な不揮発性メモリとを備え、
前記制御手段は、特定の国もしくは地域等が選択された場合、前記読み出し専用の不揮発性メモリから読み出された、その国もしくは地域等に関するパラメータに基づいて、前記書き換え可能な不揮発性メモリを初期化するものであり、
国もしくは地域等に関するパラメータには、国もしくは地域等の固有パラメータと、この固有パラメータ以外のその他のパラメータとがあり、
前記不揮発性メモリの初期化を行う際に、前記固有パラメータが、前記書き換え可能な不揮発性メモリに記憶されていない場合、制御手段は、前記固有パラメータとその他のパラメータとの双方を前記読み出し専用の不揮発性メモリから読み出して、それら双方のパラメータを前記書き換え可能な不揮発性メモリに記憶させ、
前記不揮発性メモリの初期化時に、前記固有パラメータが、前記書き換え可能な不揮発性メモリに記憶されている場合、制御手段は、新たに選択された固有パラメータを読み出し専用の不揮発性メモリから読み出して、その固有パラメータのみを前記書き換え可能な不揮発性メモリに記憶させることを特徴とする通信端末装置。
【請求項２】
請求項１に記載の通信端末装置において、
前記書き換え可能な不揮発性メモリに記憶されたパラメータに関し、前記固有パラメータを構成する国もしくは地域コードについても利用者が書き換え可能な入力手段を備えたことを特徴とする通信端末装置。
【発明の詳細な説明】
【０００１】
【発明の属する技術分野】
本発明は、不揮発性の記憶手段に記憶されたパラメータ等に基づいて動作する通信端末装置に関し、特に、国もしくは地域等に関するパラメータ等を複数分予め不揮発性記憶メモリに記憶しておき、その内の一の国もしくは地域等に対応するパラメータ等を確実且つ容易に選択することができる通信端末装置に関するものである。
【０００２】
【従来の技術】
各国へ輸出される通信端末装置においては、国毎に通信規格、仕様等が異なるため、これら通信規格等の相違により各国毎の輸出品の仕様が変更される。そのため、国毎に対応するパラメータ等を記憶する専用の不揮発性記憶メモリを予め製造した後に、その不揮発性記憶メモリを組み込んで通信端末装置を製造する方法が一般的に採用される。
こうした専用の不揮発性記憶メモリを制御基板に装填した通信端末装置が製造される場合に、各国毎の出荷予定台数が製造後に変更されると、別の輸出国向けに前記パラメータ等を変更するといった修正がきかないので、直ちに過剰在庫になったり在庫不足が生じたりすることがある。
【０００３】
【発明が解決しようとする課題】
そのため、国毎に異なるパラメータ等を通信端末装置の製造後に変更できるように、通信端末装置は、各国の通信規格等に対応するパラメータ等を、複数国分予め記憶メモリに記憶しておき、その内の一の国に対応するパラメータ等を選択できるような構成を有し、更に、その選択されたパラメータ等を取り消すとともにあらためて先に選択されなかったパラメータ等を動作させるように選択できるような構成を有するのが望ましい。
しかし、各国等に対応するパラメータ等を複数国分予め記憶しておき、その内の一の国に対応するパラメータ等を選択するため、工場作業者が操作パネル上のキーボードを介してキー入力する場合、入力項目が多数あると、誤入力するといった操作ミスが発生することも予想される。
本発明は前記従来の問題点を解消するためになされたものであり、例えば、国もしくは地域等に関するパラメータ等を複数分予め不揮発性の記憶手段に記憶しておき、その内の一の国もしくは地域等に対応するパラメータ等を選択するに際し、確実且つ容易にパラメータ等を選択することが可能な通信端末装置を提供することを目的とする。
【０００４】
【課題を解決するための手段及び発明の効果】
前記目的を達成するため、請求項１に係る発明によれば、各種のパラメータ等を格納する不揮発性の記憶手段、及び、それらパラメータ等に基づいて動作を実行する制御手段を備える通信端末装置において、前記不揮発性の記憶手段は、国もしくは地域等に関するパラメータを複数分記憶する読み出し専用の不揮発性メモリと、前記パラメータ等を少なくとも記憶する書き換え可能な不揮発性メモリとを備え、前記制御手段は、特定の国もしくは地域等が選択された場合、前記読み出し専用の不揮発性メモリから読み出された、その国もしくは地域等に関するパラメータに基づいて、前記書き換え可能な不揮発性メモリを初期化するものであることを特徴とする。
ここで、「不揮発性の記憶手段」とは、所定電圧が供給されない場合であっても、記憶手段内に記憶されたデータ等が消去されないものをいう。そして、不揮発性の記憶手段の一例としての「読み出し専用の不揮発性メモリ」は、記憶されたデータ等が書き換え不能で、専ら読み出すためのものを意味し、例えば、ＲＯＭが好適であるが、必ずしもこれに限った訳ではない。また、不揮発性の記憶手段の一例としての「書き換え可能な不揮発性メモリ」は、記憶されたデータ等を書き換えれるものを意味し、例えば、ＥＥＰＲＯＭが好適であるが、必ずしもこれに限った訳ではない。
【０００５】
それにより、特定の国もしくは地域等が選択された場合、制御手段は、国もしくは地域等に関するパラメータを複数分記憶する読み出し専用の不揮発性メモリから、選択した国もしくは地域等に関するパラメータを読み出した後に、そのパラメータに基づいて、書き換え可能な不揮発性メモリを初期化する。そのため、この通信端末装置によれば、国等に関するパラメータをその装置の製造後であっても変更できる。そして、読み出し専用の不揮発性メモリから読み出されたパラメータに基づいて、書き換え可能な不揮発性メモリを初期化するので、検査者等による誤入力が少なくなって、確実且つ容易にパラメータ等を選択することができる。
ここで、「書き換え可能な不揮発性メモリを初期化する」とは、読み出し専用の不揮発性メモリから、選択した国もしくは地域等に関するパラメータを読み出して、そのパラメータを前記書き換え可能な不揮発性メモリに記憶させる態様を含む他に、それ以外の態様を含んでもよい。また、「国もしくは地域等」とは、一定の領土等を有する国家、もしくは、その国家内の一乃至複数の行政区画上の地域等を意味する他に、複数の国家を跨ぐ地域も意味してもよい。
【０００６】
また、請求項１に係る発明によれば、  国もしくは地域等に関するパラメータには、国もしくは地域等の固有パラメータと、この固有パラメータ以外のその他のパラメータとがあり、前記不揮発性メモリの初期化を行う際に、前記固有パラメータが、前記書き換え可能な不揮発性メモリに記憶されていない場合、制御手段は、前記固有パラメータとその他のパラメータとの双方を前記読み出し専用の不揮発性メモリから読み出して、それら双方のパラメータを前記書き換え可能な不揮発性メモリに記憶させることを特徴とする。
【０００７】
ここで、「固有パラメータ」とは、例えば、国もしくはその地域等において採用されている通信規格、通信条件または電話交換機の機能に関するパラメータの他に、日付けの設定等に関するパラメータをいい、各国もしくは地域毎に設定される必要があるものをいう。また、「固有パラメータ以外のその他のパラメータ」とは、例えば、利用者の電話番号、利用者のファクシミリ番号、ファクシミリ装置の送信側を示す発信元データ、相手方のワンタッチダイヤル番号、相手方の短縮番号等に関するパラメータをいい、主として、通信端末装置を利用する利用者毎に設定されるものをいうが、必ずしもこれに限った訳ではない。
【０００８】
それにより、制御手段は、固有パラメータが書き換え可能な不揮発性メモリに記憶されていない場合、固有パラメータとその他のパラメータとの双方を読み出して、双方のパラメータを前記書き換え可能な不揮発性メモリに記憶させる。
このように前記固有パラメータを書き換え可能な不揮発性メモリに記憶することで、国毎に通信規格、仕様等が変わっても、通信端末装置を使用できるし、また、固有パラメータ以外のその他のパラメータを書き換え可能な不揮発性メモリに記憶することで、例えば、利用者毎に使い勝手の良いパラメータを設定することができる。
【０００９】
また、請求項１に係る発明によれば、前記不揮発性メモリの初期化時に、前記固有パラメータが、前記書き換え可能な不揮発性メモリに記憶されている場合、制御手段は、新たに選択された固有パラメータを読み出し専用の不揮発性メモリから読み出して、その固有パラメータのみを前記書き換え可能な不揮発性メモリに記憶させることを特徴とする。
【００１０】
それにより、国もしくは地域等の固有パラメータが書き換え可能な不揮発性メモリに記憶されている場合、制御手段は新たに選択された固有パラメータを読み出し専用の不揮発性メモリから読み出して、その固有パラメータを前記書き換え可能な不揮発性メモリに記憶させるので、固有パラメータ以外のその他のパラメータについては書き換えない。
このように設定した理由は、固有パラメータとその他のパラメータとの双方を読み出し専用の不揮発性メモリから読み出して、双方のパラメータを前記書き換え可能な不揮発性メモリに記憶させる場合は、パラメータの量が多いため記憶させるのに費やす時間が長いのに対し、新たに選択された固有パラメータのみ記憶させる場合は、パラメータの量が少ないためそれに費やす時間が短くて済む。
または、出荷国を変更する等の事情のために、一度設定したパラメータを別の国もしくは地域のパラメータに変更する場合には、既に書き換え可能な不揮発性メモリに記憶させた固有のパラメータ以外のパラメータについては、必ずしも書き換える必要はないからである。
【００１１】
また、請求項２に係る発明によれば、請求項１に記載の通信端末装置において、前記書き換え可能な不揮発性メモリに記憶されたパラメータに関し、前記固有パラメータを構成する国もしくは地域コードについても利用者が書き換え可能な入力手段を備えたことを特徴とする。
それにより、国毎の通信規格、仕様等に応じて製造された輸出品が、各国毎に輸出されるが、例えば、複数の国家の国境に隣接する地域では、例えば、自国用の通信規格、仕様等を採用した場合よりも、隣国の通信規格、仕様等を採用した場合の方が通信能力等を好適に発揮する場合や、利用者が他国に引っ越す場合があるので、その場合には、利用者は、固有パラメータを構成する国もしくは地域コードについて入力手段を介して書き換えることができる。
【００１２】
【発明の実施の形態】
以下、本発明に係る通信端末装置をファクシミリ装置につき具体化した実施形態に基づいて図面を参照しつつ詳細に説明する。先ず、本実施形態に係るファクシミリ装置の概略構成について図１に基づき説明する。尚、図１はそのファクシミリ装置の外観斜視図である。
【００１３】
図１において、ファクシミリ装置１は装置本体２を有し、装置本体２の右側面には、電源コード３及び子機（図示せず）と通話するためのアンテナ４が付設されている。また、装置本体２の上面には、操作パネルユニット５が配設されており、この操作パネルユニット５には、表示装置としての液晶ディスプレイ６が配設されている。また、操作パネルユニット５の前記アンテナ４側の下方には、留守番電話機能時の音声メッセージを入力するマイクＭが配設されている。更に、装置本体２の側面には、音声出力用のスピーカＳが配置されている。
また、装置本体２の後方位置には、読み取り原稿を積層した状態でスタックする原稿スタッカ７が設けられており、更に、原稿スタッカ７の後方位置には用紙サポート８が配置されている。更に、装置本体２の左方側には、受話器載置部９が設けられており、この受話器載置部９上には受話器１０が載置される。
また、操作パネルユニット５の右下側には、ファクシミリ送信をスタートさせるためのスタートキーＰが配置されている他に、ファクシミリ装置１を操作する際に必要な各種のキーが、操作パネルユニット５上に適宜配置されている。
【００１４】
次に、前記操作パネルユニット５上に配置されたキー群の機能について図２に基づき説明する。図２は装置本体２に備えられる操作パネルユニット５の正面図である。図２において、操作パネルユニット５上で左側には、ダイアル入力を行うためのダイアルキー１１が配置されている。このダイアルキー１１は、「１」乃至「０」の数値キーの他に、アスタリスクキー１２、及び、シャープキー１３を包含する。また、ダイアルキー１１の左下側にはスピーカホンキー１４が配置されている。
【００１５】
続いて、前記ファクシミリ装置１の制御系について図３に基づき説明する。図３はファクシミリ装置１の制御系を示すブロック図である。図３において、そのファクシミリ装置１の制御系は、制御手段として、ＣＰＵを核として構成された制御部１７を有する。制御部１７には、不揮発性の読み出し専用メモリとしてのＲＯＭ１６、及び、不揮発性の書き換え可能なメモリとしてのＥＥＰＲＯＭ１８が接続されている他に、各種情報を記憶するＲＡＭ１９が接続されている。ここに、ＲＯＭ１６は、ファクシミリ装置１の読取動作、送受信動作または記録動作等の基本的な動作用制御プログラムを記憶する他に、各国の通信規格等に対応するパラメータ等を、複数国分記憶する。
更に、ＲＯＭ１６は、複数国分のパラメータ等から、特定の国もしくは地域等に関するパラメータを選択するためのプログラムを記憶し、更に、選択した国もしくは地域等に関するパラメータを読み出した後に、そのパラメータに基づいて、ＥＥＰＲＯＭ１８を初期化するためのプログラムを記憶しており、具体的には、図５〜図７のフローチャートに示されるプログラム等を記憶している。それにより、ＣＰＵは、ＥＥＰＲＯＭ１８に記憶されたプログラムに基づいて動作するのである。
【００１６】
そして、ＥＥＰＲＯＭ１８は、記憶領域１８ａを備えており、国もしくは地域等に関するパラメータを複数分記憶するＲＯＭ１６から、特定の国もしくは地域等が選択された場合、記憶領域１８ａには、選択された国もしくは地域等に関連する通信規格等に対応するパラメータがセットされる。具体的なパラメータをセットする方法としては、例えば、図４に示されるようなテーブルＴＡを用いることができる。
図４のＥＥＰＲＯＭ１８に記憶されるテーブルＴＡは、例えば、国もしくは地域コード（以下、単に国コードとも称す）Ｔ１、ユーザＦＡＸ番号Ｔ２、ユーザ電話番号Ｔ３、ワンタッチ相手先電話番号Ｔ４、ユーザスイッチＴ５、工事者スイッチＴ６に関するパラメータを記憶する。このテーブルＴＡは、これらＴ１〜Ｔ６のパラメータに関し、国コードＴ１が記憶されていない時に、書き込まれるパラメータ記憶欄Ｔｂを備える他に、国コードＴ１が既に記憶済みで新たに国コードＴ１を変更した場合に書き込まれるパラメータ記憶欄Ｔｃを備える。
このように国コードＴ１、ユーザＦＡＸ番号Ｔ２、ユーザ電話番号Ｔ３、ワンタッチ相手先電話番号Ｔ４、ユーザスイッチＴ５、工事者スイッチＴ６に関するパラメータを、書き換え可能な不揮発性メモリとしてのＥＥＰＲＯＭ１８に記憶させる理由は、ファクシミリ装置１をセットした後に、例えば、停電等のために所定電圧が供給されない場合があっても、これらパラメータが消去されないようにするためである。
尚、ユーザスイッチＴ５は、例えば、送信用カバーペイジの付加の有無を選択するスイッチ等を含み、工事者スイッチＴ６は、例えば、電話回線２５への送出用のＤＰ信号またはＰＢ信号を切り替るスイッチ等を含む。
【００１７】
このようなテーブルＴＡをＥＥＰＲＯＭ１８が記憶するので、国もしくは地域等に関するパラメータを複数（例えば、Ａ国、Ｂ国、Ｃ国等）分を記憶するＲＯＭ１６は、図４に示されるＴ１〜Ｔ６のパラメータに関するパラメータ記憶欄Ｔｂを複数（例えば、Ａ国、Ｂ国、Ｃ国等）分記憶する。もっとも、図４に示されるＴ１〜Ｔ６のパラメータは例示に過ぎず、Ｔ１〜Ｔ６のパラメータ以外のパラメータを記憶させることは何ら問題がない。
ここで、国コードＴ１、ユーザスイッチＴ５、工事者スイッチＴ６に関するパラメータは、固有パラメータであり、ユーザＦＡＸ番号Ｔ２、ユーザ電話番号Ｔ３、ワンタッチ相手先電話番号Ｔ４に関するパラメータは、固有パラメータ以外のその他のパラメータである。そして、固有パラメータは、これらＴ１、Ｔ５、Ｔ６以外のパラメータを含んでもよいし、固有パラメータ以外のその他のパラメータは、前記Ｔ２、Ｔ３、Ｔ４以外のパラメータを含んでもよい。
【００１８】
尚、固有パラメータとは、例えば、国もしくはその地域等において採用されている通信規格、通信条件または電話交換機の機能に関するパラメータをいい、各国もしくは地域毎に設定される必要があるものをいう。そのため、上述したＡ国、Ｂ国、Ｃ国等のパラメータＴ１、Ｔ５、Ｔ６のパラメータ記憶欄Ｔｂに記憶される数値は、相互に異なっており、ユーザスイッチＴ５、工事者スイッチＴ６は、各国もしくは地域毎に設定される必要がある。
一方、固有パラメータ以外のその他のパラメータとは、例えば、利用者の電話番号、利用者のファクシミリ番号、相手方のワンタッチダイヤル番号等に関するパラメータをいい、主として、ファクシミリ装置１を利用する利用者毎に設定されるものをいう。この利用者毎に設定されるパラメータは、国等が違っても、変わらないことが多いので、上述したＡ国、Ｂ国、Ｃ国等のパラメータＴ２、Ｔ３、Ｔ４のパラメータ記憶欄Ｔｂに記憶される数値は同じであって、一度記憶されれば、書き換える必要はない場合が多い。
【００１９】
そして、固有パラメータが、ＥＥＰＲＯＭ１８に記憶されていない場合、制御部１７は
、選択された国もしくは地域等に関連する固有パラメータと、その他のパラメータとの双方をＲＯＭ１６から読み出して、双方のパラメータをＥＥＰＲＯＭ１８に記憶させるという初期化処理を行うが、これは、国毎に通信規格、仕様等が変わっても、ファクシミリ装置１をその国で使用できるようにしたり、また、利用者毎に使い勝手の良いパラメータを設定したりするためである。
また、例えば、Ａ国の国コードＴ１が既に記憶済みで、検査者等が検査ラインで新たに国コードＴ１（例えば、Ｂ国）に変更する場合に、制御部１７は、Ｂ国の国コードＴ１、ユーザスイッチＴ５、工事者スイッチＴ６に関するパラメータをＲＯＭ１６から読み出して、パラメータ記憶欄Ｔｃに、Ｂ国の国コードＴ１、ユーザスイッチＴ５、工事者スイッチＴ６に関するパラメータを記憶するが、ユーザＦＡＸ番号Ｔ２、ユーザ電話番号Ｔ３、ワンタッチ相手先電話番号Ｔ４に関するパラメータを記憶しない。
【００２０】
このように設定した理由は、国コードＴ１、ユーザスイッチＴ５、工事者スイッチＴ６等の固有パラメータと、その他のパラメータ（例えば、ユーザＦＡＸ番号Ｔ２、ユーザ電話番号Ｔ３、ワンタッチ相手先電話番号Ｔ４）との双方をＲＯＮ１６から読み出して、双方のパラメータをＥＥＰＲＯＭ１８に記憶させる場合は、パラメータの量が多いためＥＥＰＲＯＭ１８に記憶させるのに費やす時間が長いのに対し、新たに選択された固有パラメータ（国コードＴ１、ユーザスイッチＴ５、工事者スイッチＴ６等）をＥＥＰＲＯＭ１８に記憶させる場合は、パラメータの量が少ないためそれに費やす時間が短くて済むからである。また、その他のパラメータを書き換える必要はないからである。
【００２１】
また、ＲＡＭ１９は、ＣＰＵを介して演算された各種のデータを一時的に記憶することができ、ＲＡＭ１９には、図３に示すように音声情報等を記憶する記憶エリア１９Ａ、及び、画像情報等を記憶する記憶エリア１９Ｂが設けられている。この記憶エリア１９Ｂには、相手方から送信された情報がファクシミリ情報の場合、このファクシミリ情報が記憶され、また、ファクシミリ装置１を用いてメモり送信する場合に、送信用のファクシミリ情報が記憶される。また、制御部１７には、留守番電話機能部１５が接続されているので、相手方から送信された情報が音声情報の場合、または、前記マイクＭから入力された音声情報の場合、前記留守番電話機能部１５でデジタル信号に変換されて、そのデジタル音声情報が記憶エリア１９Ａに記憶される。
【００２２】
また、制御部１７には、液晶ディスプレイ（ＬＣＤ）６を有する操作パネルユニット５、原稿スタッカ７から装置本体２内に送給された読み取り原稿の文字、図形等を読み取るためのＣＣＤ装置（図示せず）を含む読取ユニット２０、及び、ＣＣＤ装置を駆動しながら原稿の送り制御等を行う駆動ユニット２０ａが接続されている。更に、制御部１７には、カッタ駆動モータ（図示せず）を介してカッタ（図示せず）を駆動して記録紙をカットする記録紙カッタユニット２１、相手方から送信された画像情報を記録紙上にプリントアウトする印字ヘッド（図示せず）を含む記録ユニット２２、及び、印字ヘッドを駆動しながら記録紙の送り制御等を行う駆動ユニット２３が接続されている。また、制御部１７には、読取位置に原稿がセットされているか否かを検出するため、原稿センサ２８が接続されている。
【００２３】
更に、前記制御部１７には、ＮＣＵ２４を介して通信回線としての電話回線２５が接続され、また、受話器１０はＮＣＵ２４に接続されている。更に、前記制御部１７は、音声信号を出力するためのスピーカＳに接続されている。尚、記憶エリア１９Ａ等に記憶されたデジタル情報は、留守番電話機能部１５においてアナログ音声信号に変換されるので、このアナログ音声信号が供給されたスピーカＳは音声信号を出力する。また、制御部１７には、電源２９が接続されている。
【００２４】
前記のように構成されたファクシミリ装置１において、一般的なファクシミリ送信を行う場合には、原稿スタッカ７に読み取り原稿をセットするとともに、ダイアルキー１１の操作により、送信先のファクシミリ番号を入力した後、前記スタートキーＰを押下する。これにより、読み取り原稿がファクシミリ装置１内に搬送され、制御部１７の制御の下に、駆動ユニット２０ａが原稿送りしながら読取ユニット２０が原稿の画像データを読み取るので、制御部１７が画像データを圧縮及び変調した後に、ＮＣＵ２４及び電話回線２５を介して圧縮及び変調した画像データを送信相手先に送信する。
【００２５】
また、相手方から圧縮及び変調された画像データが、電話回線２５、ＮＣＵ２４を介してファクシミリ装置１に送信されて来た際には、その制御部１７は、その画像データを復調及び復元するので、記録ユニット２２の印字ヘッド及び駆動ユニット２３が駆動制御しながら、装置本体２内に収納されている記録紙上に画像データを印字する。その印字終了後、制御部１７は記録紙カッタユニット２１を駆動して印字済みの記録紙をカットすることにより、受信動作が終了する。
【００２６】
そして、読取ユニット２０で入力される画像情報を、記録ユニット２２が記録動作するコピー動作の場合、制御部１７は以下の動作を行う。すなわち、読み取り原稿が装置本体２内に搬送されると、制御部１７の制御の下に、駆動ユニット２０ａが原稿送りしながら読取ユニット２０が原稿の画像データを読み取るとともに、画像データが記録ユニット２２に供給されるので、記録ユニット２２の印字ヘッド及び駆動ユニット２３は、装置本体２内の記録紙上に画像データを印字させる。その印字終了後、制御部１７は、記録紙カッタユニット２１を駆動して印字済みの記録紙をカットすることにより、コピー動作を終了する。
【００２７】
次に、前記のように構成されたファクシミリ装置１の保守モードで実行される制御処理の手順について、図５に基づき説明する。図５は保守モードの一部で実行される制御処理の手順を示すフローチャートであり、図６及び図７は、図５の制御処理の一部手順を詳細に示すフローチャートである。
【００２８】
そのファクシミリ装置１が製造された後に、検査を行うための検査ラインにファクシミリ装置１が投入される。そして、保守モードでは、ファクシミリ装置１が正常であるか否かの検査工程、例えば、記録ユニット２２等の記録系、読取ユニット２０等の読取系、ＮＣＵ２４等の通信系等、その他の部品等の検査工程が行われるが、検査工程の最初の段階でＥＥＰＲＯＭ１８の初期化が行われる。
【００２９】
ＥＥＰＲＯＭ１８の初期化の際に、図５に示されるように、制御部１７は、国コードＴ１が入力されているか否かを判別する（ステップＳ１）（以下、ステップＳを単にＳと略称する）。すなわち、前記操作パネルユニット５のダイアルキー１１を介して、国コードＴ１がファクシミリ装置１に入力されるので、制御部１７は国コードＴ１が入力されているか否かを判別する。具体的には、ファクシミリ装置１が「Ａ国」に輸出するためのものである場合、検査者は、ダイアルキー１１を用いて「０１」の国コードＴ１を入力し、以下同様に、「Ｂ国」用の輸出品の場合、例えば「００」の国コードＴ１を入力し、「Ｃ国」用の輸出品の場合、例えば「０９」の国コードＴ１を入力する必要がある。
そして、制御部１７は、ダイアルキー１１によるキー入力の状態をチェックしているので、キー入力がない場合（Ｓ１：ＮＯ）、制御部１７はキー入力されるまで待機する。
【００３０】
キー入力があった場合（Ｓ１：ＹＥＳ）、制御部１７は有効な国コードＴ１であるか否かを判別する（Ｓ２）。そして、有効な国コードＴ１でない場合（Ｓ２：ＮＯ）、制御部１７はＳ１に戻る。
例えば、ファクシミリ装置１は、「Ａ国」に輸出されるためのものであるのに、検査者が誤って「１１」のキー入力をした場合、Ａ国用の所定の「０１」が、キー入力されないので、制御部１７は「有効な国コードＴ１でない」としてＳ１に戻る。このため、制御部１７は、検査者が誤入力したまま、その後の処理が行われるのを防止する。
【００３１】
ここで、Ａ国用の「０１」のキー入力がされた場合（Ｓ２：ＹＥＳ）、制御部１７は以前に記憶された国コードＴ１があるか否かを判断する（Ｓ３）。具体的には、制御部１７は、そのテーブルＴＡの国コードＴ１のパラメータ記憶欄Ｔｂに「０１」があるか否かを確認する。
そして、テーブルＴＡに国コードＴ１が記憶されていない場合（Ｓ３：ＮＯ）、制御部１７は、ＥＥＰＲＯＭ１８の全エリア初期化処理を行う（Ｓ４）のに対し、以前に記憶された国コードＴ１がある場合（Ｓ３：ＹＥＳ）、固有パラメータのみ初期化処理を行う（Ｓ５）。
【００３２】
具体的には、制御部１７は、ＥＥＰＲＯＭ１８の全エリア初期化処理の場合、図６に示すフローチャートを実行する。すなわち、制御部１７は、最初に選択された国もしくは地域等の固有パラメータを、ＲＯＭ１６から読み出してＥＥＰＲＯＭ１８に記憶させる（Ｓ１０）。この場合、制御部１７は、国コードＴ１、ユーザスイッチＴ５及び工事者スイッチＴ６等の固有パラメータを、ＲＯＭ１６から読み出してＥＥＰＲＯＭ１８に記憶させる。
その後、制御部１７は、固有パラメータ以外のその他のパラメータを、ＲＯＭ１６から読み出してＥＥＰＲＯＭ１８に記憶させる（Ｓ１１）。この場合、制御部１７は、ユーザＦＡＸ番号Ｔ２、ユーザ電話番号Ｔ３、ワンタッチ相手先電話番号Ｔ４等の、固有パラメータ以外のその他のパラメータをＲＯＭ１６から読み出してＥＥＰＲＯＭ１８に記憶させる。それにより、制御部１７は、図４のＴ１〜Ｔ６に関するパラメータ記憶欄Ｔｂの記憶が完了する。
尚、この実施の形態の場合、制御部１７は、Ｓ１０、Ｓ１１の２段階でＥＥＰＲＯＭ１８に前記パラメータを記憶するという態様を採用したが、１段階でＥＰＲＯＭ１８に前記パラメータを記憶する態様を採用してもよい。
【００３３】
一方、制御部１７は、ＥＥＰＲＯＭ１８の固有パラメータの初期化処理の場合、図７に示すフローチャートを実行する。すなわち、制御部１７は、国コードＴ１に基づいて、設定国のユーザスイッチＴ５、工事者スイッチＴ６に関するパラメータをＲＯＭ１６の所定エリアから読み込み、ＥＥＰＲＯＭ１８に記憶させる（Ｓ２０）。それにより、制御部１７は、図４の国コードＴ１以外に、ユーザスイッチＴ５、工事者スイッチＴ６に関するパラメータ記憶欄Ｔｃの記憶を完了する。
この場合、パラメータ記憶欄Ｔｂのパラメータが既に記憶済みで、検査者等が検査ラインで新たな固有パラメータに変更する場合に、初期化されるパラメータ記憶欄Ｔｃは、国コードＴ１、ユーザスイッチＴ５、工事者スイッチＴ６に関するパラメータのみである。それにより、ＥＥＰＲＯＭ１８の全エリア初期化処理を行う場合に比較して、固有パラメータの初期化処理を行う場合は、パラメータ記憶欄Ｔｃに関する変更に費やす時間が短くて済み、トータル的に製造コストが低減化する。そして、ファクシミリ装置１の製造後の輸出国の変更に対して、パラメータ記憶欄Ｔｃに関する変更のみで済み、極めて柔軟に対応することができる。尚、この実施の形態の場合、制御部１７による初期化処理とは、パラメータをＲＯＭ１６から読み出して、そのパラメータをＥＥＰＲＯＭ１８に記憶させることをいうが、他の実施の形態として、別の方法を採用しても何ら問題はない。
【００３４】
以上詳述したように、この実施の形態の場合、ファクシミリ装置１は、各種のパラメータを格納する不揮発性の記憶手段、及び、それらパラメータ等に基づいて動作を実行する制御部１７（制御手段）を備え、前記不揮発性の記憶手段は、国もしくは地域等に関するパラメータ等を複数分記憶するＲＯＭ１６（読み出し専用の不揮発性メモリ）と、前記パラメータ等を少なくとも記憶できるＥＥＰＲＯＭ１８（書き換え可能な不揮発性メモリ）とを備え、前記制御部１７（制御手段）は、特定の国もしくは地域等が選択された場合、前記ＲＯＭ１６から読み出された、その国もしくは地域等に関するパラメータ等に基づいて、ＥＥＰＲＯＭ１８を初期化する。
それにより、特定の国もしくは地域等が選択された場合、制御部１７は、国もしくは地域等に関するパラメータを複数分記憶するＲＯＭ１６から、選択した国もしくは地域等に関するパラメータを読み出した後に、そのパラメータをＥＥＰＲＯＭ１８に記憶させるので、例えば、検査者等は、特定の国もしくは地域等のみを選択して、国もしくは地域等に関連するパラメータ等を多数選択する必要がなく、その選択が確実且つ容易に行える。
【００３５】
尚、本発明は前記実施形態に限定されることはなく、本発明の要旨を逸脱しない範囲内で種々の改良、変形が可能であることは勿論である。例えば、この発明の通信端末装置は、必ずしもファクシミリ装置である必要はなく、例えば、テレビ受像器等の家電製品の他に、例えば、電話装置、コンピュータ等の情報機器等であっても良い。更に、ファクシミリ送受信機能、コピー機能、留守番電話機能等の各種の機能を一台に搭載したマルチファンクションデバイス等その他の通信端末装置であってもよい。また、不揮発性メモリは、必ずしもバイト単位で書き換えられるＥＥＰＲＯＭに限った訳ではなく、例えば、フラッシュ型ＥＥＰＲＯＭ等であってもよい。
また、特定の国もしくは地域等を選択するに当たって、キー入力に限らずに、例えば、その国もしくは地域を示すバーコードを入力する方式の他に、特定の国もしくは地域を示すＤＴＭＦ信号を外部から入力する方式等を採用しても良い。
【００３６】
また、ＥＥＰＲＯＭ１８に記憶されたパラメータに関し、国もしくは地域コードについても、利用者が書き換えれることが望ましい。これは、国毎の通信規格、仕様等に応じて製造された輸出品が、各国毎に輸出されるが、例えば、複数の国家の国境に隣接する地域では、例えば、自国用の通信規格、仕様等を採用した場合よりも、隣国の通信規格、仕様等を採用した場合の方が通信能力等を好適に発揮する場合や利用者が他国に引っ越す場合があるからである。そのため、ＥＥＰＲＯＭ１８を書き換える入力手段として、例えば、専用のキー等（図示せず）を備えるのが望ましい。
【図面の簡単な説明】
【図１】  この発明を具体化した実施の形態のファクシミリ装置の外観斜視図である。
【図２】  実施の形態のファクシミリ装置の操作パネルユニットを示す正面図である。
【図３】  実施の形態のファクシミリ装置の制御系を示すブロック図である。
【図４】  実施の形態のファクシミリ装置のＥＥＰＲＯＭに記憶されるテーブルを示す図である。
【図５】  実施の形態のファクシミリ装置の保守モードの一部で実行される制御処理の手順を示すフローチャートである。
【図６】  図５の制御処理の一部手順を詳細に示すフローチャートである。
【図７】  図５の制御処理の一部手順を詳細に示すフローチャートである。
【符号の説明】
１                  ファクシミリ装置
２                  装置本体
５                  操作パネルユニット
１０                受話器
１１                ダイアルキー
１４                スピーカホンキー
１６                ＲＯＭ
１７                制御部
１８                ＥＥＰＲＯＭ
１８ａ       記憶領域
１９                ＲＡＭ
１９Ａ、１９Ｂ      記憶エリア
２０ａ              駆動ユニット
２２                記録ユニット
２３                駆動ユニット
２４                ＮＣＵ
２５                電話回線
Ｓ                  スピーカ
２８                原稿センサ
Ｍ                  マイク
ＴＡ                テーブル
Ｔｂ、Ｔｃ          パラメータ記憶欄
【図１】
0003982043.tif 000002
【図２】
0003982043.tif 000003
【図３】
0003982043.tif 000004
【図４】
0003982043.tif 000005
【図５】
0003982043.tif 000006
【図６】
0003982043.tif 000007
【図７】
0003982043.tif 000008